(57)【要約】【課題】  本発明はセルフサービス方式で入金後に発行された預り証と給液終了後に発行された伝票とを１枚の伝票として顧客に提供することを課題とする。【解決手段】  燃料供給装置は、レシート発行部５６を有する。レシート発行部５６は、ロール状に巻回された伝票用紙１００と、伝票用紙１００をＸ方向に送出する一対の回転ローラ１０２と、伝票用紙１００に印刷を行うプリンタ８０の印字ヘッド１０４と、伝票用紙１００を送出方向と直交するＹ方向に延在するレシートカッタ部８３のカッタ１０６と、印字されたレシート９０を排出する伝票排出口１０８とを有する。印字ヘッド１０４は、回転ローラ１０２による伝票用紙１００の送り速度に同期して供給した燃料の量を伝票用紙に印字する。そして、レシートカッタ部８３のカッタ１０６は、領収書の発行が完了した段階で、レシート９０を切断する。【選択図】    図７
2005239221.tif 000002
【特許請求の範囲】
【請求項１】
貨幣を投入するための貨幣投入手段と、
被供給体に対して燃料を供給するための燃料供給手段と、
ロール状に巻回された伝票用紙を引き出しながら当該伝票用紙に印字することにより伝票を作成して発行する伝票発行機と、
該伝票発行機の伝票排出口に設けられ、前記伝票の送出方向と直交する方向に延在形成されたカッタを有する切断手段と、
前記貨幣投入手段により投入された貨幣の額に基づき前記燃料供給手段より前記被供給体への燃料の供給量を制御する燃料供給制御手段と、
前記伝票発行機からの伝票発行を制御する伝票発行制御手段と、
からなり、
前記伝票発行制御手段は、前記貨幣投入手段により貨幣の投入が確認された段階で、当該貨幣を預かったことを示す預り証を前記伝票発行機より発行させ、前記燃料供給手段での燃料の供給が終了した段階で、供給した燃料に関する情報が印字された領収書を発行させ、当該領収書の発行が完了した場合に前記切断手段のカッタを作動させて前記伝票排出口から排出された前記領収書を前記伝票用紙から切断することを特徴とする燃料供給装置。
【請求項２】
前記伝票発行制御手段は、
前記預り証を発行させた後、前記燃料供給手段による燃料供給の有無に応じて前記伝票を発行させるか否かを判断する判断手段と、
前記判断手段により前記伝票を発行させないと判断した場合には、前記切断手段のカッタを作動させて前記伝票排出口から排出された前記預り証を前記伝票用紙から切断することを特徴とする請求項１に記載の燃料供給装置。
【発明の詳細な説明】
【技術分野】
【０００１】
本発明は燃料供給装置に係り、特に車両の燃料タンク（被供給体）に顧客（運転者）自身が燃料供給操作を行うセルフサービス方式の燃料供給装置に関する。
【背景技術】
【０００２】
例えば、ガソリンや軽油等の油液を車両の燃料タンクに供給する燃料供給システムを例に挙げて以下説明する。
【０００３】
セルフサービス方式の燃料供給装置が設置された給液所等では、顧客（運転者）自身が給液量の設定、給液作業、給液料金の精算を行うようになっている。そのため、顧客（運転者）は、給液料金の精算方法を指定した後、給液を行う前に設定器のスイッチ操作により所定の油種、給液量または給液金額などの入力を行うようになっている。給液料金の精算方法としては、現金で支払う方法、プリペイドカードやクレジットカードで支払う方法等がある。
【０００４】
そして、セルフサービス方式の燃料供給装置では、例えば、現金支払いの場合、現金支払い機に紙幣を入金すると、入金金額と伝票番号（バーコード）とが印字された仮伝票が発行される。顧客（運転者）は、この仮伝票を受け取ると、空いている計量機の前へ車両を移動させる。続いて、仮伝票を計量機に設けられたバーコード読み取り機に挿入して伝票番号（バーコード）を読み取らせる。
【０００５】
次に顧客（運転者）は、設定器の各種操作釦を押圧操作して給液方法（プリセット給液または満タン給液）、油種、給液量または給液金額の設定を行う。そして、給液を開始すると、給液量が流量計によって計測されて、流量表示器に表示される数値が更新される。
【０００６】
このようにして車両への給液が終了すると、顧客（運転者）は、釣り銭がある場合には仮伝票を持って釣り銭機の前に移動する。そして、釣り銭機のバーコード読み取り機に仮伝票を挿入して伝票番号（バーコード）を読み取らせる。釣り銭機では、伝票番号に対応する釣り銭情報をＰＯＳ本体から読み込んで釣り銭を排出する。その後、釣り銭機は、プリンタから給液量、給液金額が印字された伝票（レシート）を発行する（例えば、特許文献１参照）。
【０００７】
しかしながら、上記のように構成された従来の燃料供給装置においては、給液前に発行される仮伝票と給液後に発行される伝票との２枚の伝票を受け取ることになるため、顧客にしてみれば煩わしいといった問題が生じる。
【０００８】
そのため、燃料供給装置に入金機及び伝票発行機を設け、紙幣を入金すると、入金金額が記載された預り証を発行し、給液後に供給量に応じた情報（給液された量、金額、釣り銭額等）が印字された伝票を発行する方法が開発されつつある。この方法においては、そして、釣り銭がある場合には、釣り銭の情報が記載された伝票を釣り銭機に読み取らせて釣り銭を受け取ることになる。また、伝票は、ロール状に巻回された伝票用紙に印字されるため、印字しながら伝票が伝票発行機の伝票排出口から排出され、印字が終了すると、印字領域が伝票排出口から露出されるまで紙送り動作が行われる。その後、顧客自身が伝票排出口から排出された伝票を伝票排出口より受け取る。
【特許文献１】特開平４−５７７９４号公報
【発明の開示】
【発明が解決しようとする課題】
【０００９】
しかしながら、上記のように構成された従来の燃料供給装置においては、例えば、給液を行った顧客が伝票を取らずに帰ってしまい、次の顧客が紙幣の入金をした場合には、伝票排出口から排出された前回の預り証及び領収書に続いて次回の預り証及び領収書が発行されることになるため、次回の給液を行う顧客が前回の預り証及び領収書と今回の預り証及び領収書を受け取ることになり、顧客は給液終了後に発行される領収書に対応する預り証がどれであるのかを判別しなければならず、煩わしさを感じるという問題があった。
【００１０】
また、紙幣が入金された場合、入金金額が印字された伝票を預かり証として発行することが検討されているが、入金後に預かり証を発行し、給液終了後に領収書を発行する場合、預かり証と領収書とを個別に切断してしまうと、顧客が受け取る伝票数が増加してしまい、煩わしいという問題があった。
【００１１】
そこで、本発明は上記課題を解決した燃料供給装置を提供することを目的とする。
【課題を解決するための手段】
【００１２】
請求項１記載の発明は、貨幣を投入するための貨幣投入手段と、被供給体に対して燃料を供給するための燃料供給手段と、ロール状に巻回された伝票用紙を引き出しながら当該伝票用紙に印字することにより伝票を作成して発行する伝票発行機と、該伝票発行機の伝票排出口に設けられ、前記伝票の送出方向と直交する方向に延在形成されたカッタを有する切断手段と、前記貨幣投入手段により投入された貨幣の額に基づき前記燃料供給手段より前記被供給体への燃料の供給量を制御する燃料供給制御手段と、前記伝票発行機からの伝票発行を制御する伝票発行制御手段と、からなり、前記伝票発行制御手段は、前記貨幣投入手段により貨幣の投入が確認された段階で、当該貨幣を預かったことを示す預り証を前記伝票発行機より発行させ、前記燃料供給手段での燃料の供給が終了した段階で、供給した燃料に関する情報が印字された領収書を発行させ、当該領収書の発行が完了した場合に前記切断手段のカッタを作動させて前記伝票排出口から排出された前記領収書を前記伝票用紙から切断することを特徴とする。
【００１３】
請求項２記載の発明は、前記伝票発行制御手段が、前記預り証を発行させた後、前記燃料供給手段による燃料供給の有無に応じて前記伝票を発行させるか否かを判断する判断手段と、前記判断手段により前記伝票を発行させないと判断した場合には、前記切断手段のカッタを作動させて前記伝票排出口から排出された前記預り証を前記伝票用紙から切断することを特徴とする。
【発明の効果】
【００１４】
本発明によれば、貨幣投入手段により貨幣の投入が確認された段階で、当該貨幣を預かったことを示す預り証を伝票発行機より発行させ、燃料供給手段での燃料の供給が終了した段階で、領収書を伝票発行機より発行させると共に、切断手段のカッタを作動させて伝票排出口から排出された領収書を票用紙から切断するため、顧客としては預り証と領収書とが一体化された１枚の伝票を受け取ることになり、従来のように預り証と領収書との２枚の伝票を受け取ることによる煩わしさを解消することができる。
【発明を実施するための最良の形態】
【００１５】
以下、図面と共に本発明の一実施例について説明する。
【実施例１】
【００１６】
図１は本発明になる燃料供給装置の一実施例が適用された給液システムの構成図である。
図１に示されるように、給液システム１０は、給液エリア１２に設置された釣り銭機１４と、複数の燃料供給装置１６（１６１〜１６ｎ）と、事務所１８内に設置されたＰＯＳ本体２０と、ＰＯＳ本体２０に接続された記憶装置２２とを有する。釣り銭機１４は、釣り銭を支払うための装置であり、係員の釣り銭補充作業を容易にするため、事務所の近傍に設けられている。
【００１７】
燃料供給装置１６は、セルフサービス給液方式の計量機２４と、計量機２４に搭載された設定器２６と、料金をその場で精算するための自動支払機（入金機）２８とを有する。また、釣り銭機１４及び複数の燃料供給装置１６（１６１〜１６ｎ）は、通信回線（例えば、ＳＳ−ＬＡＮ）３０を介してＰＯＳ本体２０と接続されている。
【００１８】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００１９】
図２は燃料供給装置１６の正面図である。
図２に示されるように、燃料供給装置１６は、セルフサービス方式の計量機２４からなり、設定操作部３８と、設定操作部３８の両側に起立する支柱４０，４２と、上部に横架されたホース支持部４４とを有する。
【００２０】
計量機２４の内部には、後述する各給液系統の電磁弁と、給液ポンプと、流量計などの各機器が設けられている。
【００２１】
設定操作部３８には、静電気除去シート４６と、静電気除去シート４６の右側に配置された設定器２６と、自動支払機（入金機）２８と、インタホン４８とが設けられている。設定器２６は、液晶モニタなどからなるタッチパネル（表示部）４９を有し、タッチパネル４９に表示された設定入力画面に触れることで油種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００２２】
また、人検知センサ５０としては、例えば、光センサあるいはイメージセンサなどを用いたものであり、給液操作を行う操作者が設定器２６の前に立ったことを検知してその検知信号を出力する。
【００２３】
自動支払機２８は、紙幣挿入部（貨幣投入手段）５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２４】
カード挿入部５４は、給液所が発行したプリペイドカード、あるいはクレジットカードを挿入されると、カードに記憶された情報を読み取り、給液が可能かどうかを設定器２６に表示させる。
【００２５】
レシート発行部（伝票発行手段）５６は、自動支払機２８に紙幣（貨幣）が投入された時点で投入された紙幣の金額を印字した預り証を発行し、また、給液が終了すると、液種、給液量、給液金額、消費税、合計金額、釣り銭額などの給液情報を記載したレシート（領収書）を発行する。
【００２６】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２７】
図３は燃料供給装置１６の各機器の構成を示すブロック図である。
図３に示されるように、燃料供給装置１６の制御回路（制御手段）６６には、各給液経路に設けられた電磁弁６８、給液ポンプ７０、流量計７２、メモリ８０、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８、レシート発行部５６に設けられたプリンタ８２、レシート発行部５６の排出口に設けられたレシートカッタ部８３（切断手段）が接続されている。レシートカッタ部８３は、伝票の排出方向と直交する方向に延在形成されたカッタを有し、後述するように印字が終了した伝票を切断するように構成されている。
【００２８】
メモリ８０には、伝票発行機からの伝票発行を制御する制御プログラム（伝票発行制御手段）と、紙幣（貨幣）の投入が確認された段階で、当該入金金額を預かったことを示す預り証をレシート発行部５６より発行させ、燃料の供給が終了した段階で、供給した燃料に関する情報が印字された領収書を発行させ、当該領収書の発行が完了した場合にレシートカッタ部８３のカッタを作動させて伝票排出口から排出された領収書を伝票用紙から切断するように制御する制御プログラムとが格納されている。
【００２９】
図４は設定器２６のタッチパネル４９に表示される給液開始画面の一例を示す図である。
図４に示されるように、給液開始画面８４は、給液量の表示領域８４ａにゼロＬ（リットル）を表示し、税込金額の表示領域８４ｂにゼロ円を表示する。さらに、給液開始画面８４では、支払方法の表示領域８４ｃに現金、入金金額の表示領域８４ｄに入金された金額（例えば、５０００円）、液種の表示領域８４ｅに予め設定された液種（例えば、レギュラー）及び単価（例えば、９５円）、給液方法の表示領域８４ｆに予め設定された給液方法（プリセット給液または満タン給液）、釣り銭額の表示領域８４ｇに現在の給液金額に対応した釣り銭額が表示される。
【００３０】
制御回路６６は、給液が開始されて流量計７２から流量パルスが出力されると、流量パルスの積算値から求まる給液量に応じた給液金額の値を逐次更新すると共に、給液量の表示領域８４ａに給液量を表示する。
【００３１】
図５は設定器２６のタッチパネル４９に表示される給液終了画面の一例を示す図である。
図５に示されるように、給液終了画面８６は、給液量の表示領域８６ａに３０Ｌ（リットル）を表示し、税込金額の表示領域８６ａに２９９３円を表示する。さらに、給液終了画面８６では、支払方法の表示領域８６ｃに現金、入金金額の表示領域８６ｄに入金された金額（例えば、５０００円）、液種の表示領域８６ｅに予め設定された液種（例えば、レギュラー）及び単価（例えば、９５円）、給液方法の表示領域８６ｅに予め設定された給液方法（プリセット給液または満タン給液）、釣り銭額の表示領域８４ｆに２００７円が表示される。また、表示領域８４ｆの下方には、確認釦（操作部）８８が表示される。
【００３２】
このように、給液終了画面８６では、入金金額（５千円）から給液量に対応する給液金額と消費税の合計（２９９３円）を減算した釣り銭額（２００７円）が表示されるので、顧客（運転者）は釣り銭額をその場で確認することができる。そのため、給液終了後に釣り銭機１４へ移動して釣り銭を受けることができ、釣り銭を忘れることが防止される。
【００３３】
さらに、プリセット給液を行っている給液途中において、給液ノズル６０の液面検知機構（図示せず）により液面検知されて自動閉弁機構（図示せず）が作動した場合でも、プリセット値（設定量）が給液されていないので、顧客（運転者）は、釣り銭があることを確認できる。
【００３４】
図６は給液終了後に発行されるレシートの印字例を示す図である。
図６に示されるように、給液終了後、レシート発行部５６のプリンタ８２からレシート（領収書）９０が発行される。
【００３５】
レシート９０には、店名９０ａ、電話番号９０ｂ、発行年月日・時間９０ｃ、給液された液種-給液量９０ｄ、単価９０ｅ、小計９０ｆ、消費税９０ｇ、合計９０ｈ、預り金９０ｉ、釣り銭９０ｊ、伝票番号９０ｋなどが印字される伝票領域９０Ａと、伝票番号を識別するためのバーコード９０ｍ、紙幣挿入部５２に挿入された紙幣の金額を預り金額９０ｎが印字される預り証領域９０Ｂとを有する。
【００３６】
レシート９０は、レシート発行部５６からＸ方向に送出されるため、入金して確認釦がオンに操作されると預り証領域９０Ｂが印字され、続いて給液が終了して給液ノズル６０をノズル掛け６２に戻した場合には、伝票領域９０Ａが印字される。また、レシート９０では、伝票領域９０Ａと預り証領域９０Ｂとの境界線KLは、破線で示すようにレシート９０の途中位置にあるが、顧客が入金後に給液操作を完了した場合には、伝票領域９０Ａと預り証領域９０Ｂとが一体となったレシート９０が発行される。
【００３７】
また、レシート９０は、顧客が入金後に給液を操作しないで給液ノズル６０をノズル掛け６２に戻した場合には、預り証領域９０Ｂのみが印字された状態で切断される。
【００３８】
図７はレシート発行部５６の構成例を示す斜視図である。
図７に示されるように、レシート発行部５６は、ロール状に巻回された伝票用紙１００と、伝票用紙１００をＸ方向に送出する一対の回転ローラ１０２と、伝票用紙１００に印刷を行うプリンタ８０の印字ヘッド１０４と、伝票用紙１００を送出方向と直交するＹ方向に延在するレシートカッタ部８３のカッタ１０６と、印字されたレシート９０を排出する伝票排出口１０８とを有する。
【００３９】
印字ヘッド１０４は、例えば、熱転写型ヘッドからなり、回転ローラ１０２による伝票用紙１００の送り速度に同期して印字を行うように構成されている。レシートカッタ部８３のカッタ１０６は、モータまたはソレノイド等の駆動源により待機位置から切断位置に駆動されて伝票用紙１００を切断するように設けられている。
【００４０】
ここで、燃料供給装置１６の制御回路６６が実行する制御処理について図８及び図９を参照して説明する。
【００４１】
図８に示されるように、制御回路６６は、ステップＳ１１（以下「ステップ」を省略する）において、自動支払機２８に紙幣が挿入されたかどうかをチェックする。Ｓ１１で自動支払機２８に紙幣が挿入されると、Ｓ１２に進み、挿入された紙幣の種別（金額）が紙幣鑑別部７６で鑑別され、その結果、タッチパネル４９に入金金額を表示する（図４参照）。
【００４２】
次のＳ１３では、選択された油種や給液量（満タン給液またはプリセット給液）あるいは給液金額（入金額を上限とする金額プリセット）などの給液情報をタッチパネル４９に表示して設定する。続いて、タッチパネル４９に表示された確認釦８８がオンに操作されたかどうかをチェックする。
【００４３】
顧客がタッチパネル４９に表示された給液情報を確認して確認釦８８がオンに操作されると、Ｓ１５に進み、プリンタ８０より伝票用紙１００に預り証領域９０Ｂ（バーコード９０ｍ、預り金額９０ｎ）を印字したレシート９０を預り証として発行する。
【００４４】
続いて、Ｓ１６に進み、ノズル掛け６２に設けられたノズルスイッチ７４がオフかどうかをチェックする。Ｓ１６において、ノズルスイッチ７４がオンのままであるときは、ノズル掛け６２に給液ノズル６０が掛けたままで給液操作が行われないものと判断し、Ｓ１７に進む。
【００４５】
Ｓ１７では、キャンセル釦（図示せず）がオンに操作されたかどうかを確認する。Ｓ１７において、キャンセル釦（図示せず）がオンに操作されないときは、上記Ｓ１６に戻り、ノズル掛け６２に設けられたノズルスイッチ７４がオフかどうかをチェックする。また、Ｓ１７において、キャンセル釦（図示せず）がオンに操作されたときは、Ｓ１８に進み、レシートカッタ部８３のカッタ１０６（図７参照）を切断位置に駆動させてレシート９０を切断する。これにより、顧客は、伝票排出口１０８から排出されたレシート９０を受け取ることができる。この場合、レシート９０には、預り証領域９０Ｂ（バーコード９０ｍ、預り金額９０ｎ）のみが印字されているので、当該顧客は、このレシート９０を釣り銭機１４に読み取らせて入金した金額の払い戻しを受けることができる。
【００４６】
また、上記Ｓ１６において、ノズルスイッチ７４がオフになると、ノズル掛け６２から給液ノズル６０が外されて車両（図示せず）の給液口に挿入されたものと判断し、Ｓ１９に進む。Ｓ１９では、ＰＯＳ本体２０に対して給液要求信号を出力する。
【００４７】
続いて、Ｓ２０では、ＰＯＳ本体２０から給液許可信号が入力されたかどうかをチェックする。Ｓ２０において、係員が当該燃料供給装置１６に対する給液許可釦（図示せず）をオンに操作してＰＯＳ本体２０から給液許可信号が入力されると、Ｓ２１に進み、電磁弁６８を開弁させると共に、給液ポンプ７０に駆動信号を出力する。
【００４８】
顧客（運転者）が給液ノズル６０のノズルレバー（図示せず）を開弁位置に操作すると、車両の燃料タンクに給液開始される。そして、当該燃料供給装置１６の流量計７２が給液量に応じた流量パルスを出力すると、流量パルスを積算して積算流量（給液量）を算出すると共に、Ｓ２２で実給液量、給液金額、液種単価をタッチパネル４９に表示する（図５参照）。
【００４９】
次のＳ２３では、給液金額（消費税を含む）が入金額に達したかどうかを確認する。Ｓ２３において、給液金額（消費税を含む）が入金額に達していないときは、Ｓ２４に進み、ノズル掛け６２に設けられたノズルスイッチ７４がオンかどうかをチェックする。Ｓ２４において、ノズルスイッチ７４がオンになると、ノズル掛け６２に給液ノズル６０が戻されて当該車両（図示せず）への給液が終了したものと判断し、図９に示すＳ２５に進む。あるいは、上記Ｓ２３において、給液金額（消費税を含む）が入金額に達したときは、金額プリセットが終了したものと判断してＳ２５に進む。
【００５０】
Ｓ２５では、給液ポンプ７０へ出力されていた駆動信号の出力を停止する。続いて、Ｓ２６では、入金額及び実給液データ（給液量、給液金額、消費税を含む）を釣り銭機１４へ出力する。次のＳ２７でＰＯＳ本体２０から釣り銭額及び伝票番号が入力されたかどうかをチェックする。
【００５１】
Ｓ２７において、ＰＯＳ本体２０から釣り銭額及び伝票番号が入力されると、Ｓ２８に進み、入金額、給液金額、釣り銭額をタッチパネル４９に表示する（図５参照）。このように、給液中は、入金額、給液金額、釣り銭額をタッチパネル４９に表示するため、釣り銭の有無をその場で確認でき、釣り銭があるのに釣り銭を受け取らないといった不都合を解消することが可能になる。
【００５２】
続いて、Ｓ２９では、タッチパネル４９に表示された確認釦８８がオンに操作されたかどうかをチェックする。Ｓ２９において、タッチパネル４９に表示された確認釦８８がオンに操作されると、Ｓ３０に進み、全給液情報を釣り銭機１４及びＰＯＳ本体２０へ出力する。
【００５３】
その後、Ｓ３１では、レシート発行部５６のプリンタ８２により預り証領域９０Ｂが印字され、続いて実給液情報（少なくとも単価、給液量、給液金額、消費税）及び伝票番号等が伝票領域９０Ａに印字され、伝票領域９０Ａと預り証領域９０Ｂとが連続形成されたレシート（領収書）９０を発行させる（図６参照）。次のＳ３２では、レシート９０の印字が終了したか否かを確認しており、印字が終了した場合には、Ｓ３３に進み、レシートカッタ部８３のカッタ１０６（図７参照）を切断位置に駆動させてレシート９０を切断する。これにより、顧客は、伝票排出口１０８から排出されたレシート９０を受け取ることができる。次のＳ３４では、タッチパネル４９に表示された給液情報を消去する。
【００５４】
これにより、顧客は、伝票排出口１０８から排出された伝票領域９０Ａと預り証領域９０Ｂとが印字された１枚のレシート９０を受け取ることができる。そのため、伝票領域９０Ａと預り証領域９０Ｂとが別々に印字された２枚のレシートを受け取るよりも顧客の手間を省くことが可能になる。
【００５５】
ここで、ＰＯＳ本体２０が実行する制御処理について図１０を参照して説明する。
図１０に示されるように、ＰＯＳ本体２０は、Ｓ４１において、自動支払機２８から入金額データが入力されたかどうかをチェックする。Ｓ４１において、入金額データが入力された場合は、Ｓ４２に進み、燃料供給装置１６から実給液データが入力されたかどうかをチェックする。Ｓ４２において、入金額及び実給液データが入力されないときは、Ｓ４２に進み、伝票番号が入力されたかどうかをチェックする。
【００５６】
Ｓ４３において、伝票番号が入力されないときは、Ｓ４４に進み、釣り銭支払い済みかどうかをチェックする。Ｓ４４において、釣り銭支払い済みでないときは、Ｓ４５に進み、給液要求信号が入力されたかどうかをチェックする。Ｓ４４において、給液要求信号が入力されないときは、Ｓ４３に進み、給液許可の指示が入力されたかどうかをチェックする。Ｓ４３において、給液許可の指示が入力されないときは、上記Ｓ４１に戻る。
【００５７】
また、上記Ｓ４２において、実給液データが入力されたときは、Ｓ４６に進み、釣り銭額を演算する。続いて、Ｓ４７に進み、釣り銭額及び伝票番号を含む給液情報を記憶装置２２に記憶する。次のＳ４８では、釣り銭額及び伝票番号を燃料供給装置１６に出力する。
【００５８】
また、上記Ｓ４３において、伝票番号が入力されたときは、Ｓ４９に進み、釣り銭が支払済みかどうかを確認する。Ｓ４９において、釣り銭が支払済みでないときは、Ｓ５０に進み、伝票番号に対応する釣り銭額を燃料供給装置１６に出力する。また、上記Ｓ３９において、釣り銭が支払済みであるときは、上記Ｓ５０の処理を省略する。
【００５９】
また、上記Ｓ４４において、釣り銭支払い済みのときは、Ｓ５１に進み、伝票番号に対応する釣り銭額を支払い済みとして記憶装置２２に記憶する。
【００６０】
また、上記Ｓ４５において、給液要求信号が入力されたときは、Ｓ５２に進み、給液待ちを表示する。また、Ｓ５３において、給液許可の指示が入力されたときは、Ｓ５４に進み、給液許可信号を燃料供給装置１６に出力する。続いて、Ｓ５５に進み、給液待ち表示を消去する。これで、ＰＯＳ本体２０の処理は終了する。
【００６１】
ここで、釣り銭機１４が実行する制御処理について図１１を参照して説明する。
図１１に示されるように、レシート９０が釣り銭機１４のバーコード読み取り機（図示せず）に挿入されると、釣り銭機１４は、Ｓ６１でレシート９０に印字されたバーコード９０ｎを読み取ったかどうかをチェックする。Ｓ６１において、バーコード９０ｎのパターンを読み取ると、バーコード９０ｎのパターンに対応する伝票番号をＰＯＳ本体２０に出力する。
【００６２】
次のＳ６３では、ＰＯＳ本体２０から伝票番号に対応する釣り銭額が入力されたかどうかをチェックする。Ｓ６３において、釣り銭額が入力されると、Ｓ６４に進み、釣り銭を排出する。続いて、Ｓ６５に進み、伝票番号に対する釣り銭支払い済みをＰＯＳ本体２０に出力する。
【００６３】
このように、顧客（運転者）は、給液終了後に燃料供給装置１６で発行されたレシート９０を釣り銭機１４のバーコード読み取り機（図示せず）に挿入することにより、釣り銭を受けることができる。
【産業上の利用可能性】
【００６４】
尚、上記実施の形態では、液晶モニタからなるタッチパネルを設定器に用いた構成を一例として説明したが、これに限らず、例えば、他の形式の設定器を用いた構成でも良い。
【００６５】
また、地上設置型の計量機に取り付けられた構成を一例として挙げたが、これに限らず、懸垂式の給液装置にも適用できるのは勿論である。
【００６６】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【図面の簡単な説明】
【００６７】
【図１】本発明になる燃料供給装置の一実施例が適用された給液システムの構成図である。
【図２】燃料供給装置１６の正面図である。
【図３】燃料供給装置１６の各機器の構成を示すブロック図である。
【図４】設定器２６のタッチパネル４９に表示される給液開始画面の一例を示す図である。
【図５】設定器２６のタッチパネル４９に表示される給液終了画面の一例を示す図である。
【図６】給液終了後に発行されるレシートの印字例を示す図である。
【図７】レシート発行部５６の構成例を示す斜視図である。
【図８】燃料供給装置１６の制御回路６６が実行する制御処理を説明するためのフローチャートである。
【図９】図８の制御処理に続いて制御回路６６が実行する制御処理を説明するためのフローチャートである。
【図１０】ＰＯＳ本体２０が実行する制御処理を説明するためのフローチャートである。
【図１１】釣り銭機１４が実行する制御処理を説明するためのフローチャートである。
【符号の説明】
【００６８】
１０  給液システム
１２  給液エリア
１４  釣り銭機
１６（１６１〜１６ｎ）  燃料供給装置
２０  ＰＯＳ本体
２２  記憶装置
２４  計量機
２６  設定器
２８  自動支払機
３０  通信回線
３２１〜３２ｎ  監視カメラ
３４  カメラ分割ユニット
３６  監視モニタ
３８  設定操作部
４９  タッチパネル
５０  人検知センサ
５２  紙幣挿入部
５４  カード挿入部
５６  レシート発行部
６２  ノズル掛け
６０  給液ノズル
６６  制御回路
７０  給液ポンプ
７２  流量計
７８  カードＲ／Ｗ
８０  メモリ
８２  プリンタ
８３  レシートカッタ部
８８  確認釦
９０  レシート
９０Ａ  伝票領域
９０Ｂ  預り証領域
１００  伝票用紙
１０２  回転ローラ
１０４  印字ヘッド
１０６  カッタ
１０８  伝票排出口
【図１】
2005239221.tif 000003
【図２】
2005239221.tif 000004
【図３】
2005239221.tif 000005
【図４】
2005239221.tif 000006
【図５】
2005239221.tif 000007
【図６】
2005239221.tif 000008
【図７】
2005239221.tif 000009
【図８】
2005239221.tif 000010
【図９】
2005239221.tif 000011
【図１０】
2005239221.tif 000012
【図１１】
2005239221.tif 000013